(57)【要約】【課題】防水シートを固定する固定板に充填した接着剤またはシーリング剤等が固定板を接着面に押圧した時点において量的に十分であって均等に充填されており、固定板が一様な接着力で本体に固定されることを確認できるようにする。【解決手段】透明または半透明の塩化ビニール樹脂製の円形の板であって厚さ３ｍｍである。固定板１の中央にはスイミングプールの壁面２に設けたフランジ３の直径に合致する円形の穴１１が設けてある。固定板１の接着面側には穴１１を包囲する円形の閉鎖形状のシーリング溝１５が３本形成してある。シーリング溝１５の幅は２ｍｍ、深さは固定板１の板厚３ｍｍの半分以下の１．４ｍｍである。この固定板１をスイミングプールの給排水口に接着剤１４を充填して接着対象に押付け、透明固定板１の表面から接着剤の量が十分であって均等であることを取付け対象物に固定板を取付けた状態で確認することができる。【選択図】図２
2020060048.tif 000002
【特許請求の範囲】
【請求項１】
防水シートの固定板であり、透明または半透明の合成樹脂製板であって接着面側に１個または複数の閉鎖形状のシーリング溝が形成してある固定板。
【請求項２】
請求項１において、固定板の板厚は３ｍｍ以上である固定板。
【請求項３】
請求項１または２において、シーリング溝の深さが板厚の半分以下である固定板。
【請求項４】
請求項１〜４のいずれかにおいて、シーリング溝の断面形状が三角形、半円形、若しくは四角形のいずれかまたはそれらの組み合わせである固定板。
【発明の詳細な説明】
【技術分野】
【０００１】
本発明は、スイミングプール等の給排水設備の開口部、建築物のルーフドレン部や丸環部、その他の開口部における水密性の向上に使用される固定板に関する。
【背景技術】
【０００２】
スイミングプールの給排水部の開口部、ラダーハンドルの取付部、建築物のルーフドレン部や丸環部、その他の開口部には防水シートが強固にスイミングプールや建築物の本体に取付けられ、剥離したり水密性が低下することがないように、本体に防水シートを直接取付けせずに、開口部に合致する穴を有したり、開口部を包囲する合成樹脂製の固定板を本体に取付け、この固定板に防水シートを熱融着、または、溶着固定するなどして高い水密性が長期間保持されるようにし、漏水や防水シートの剥離が起きないようにしている。
【０００３】
図３は、スイミングプールの壁面２に形成してある給排水部を示すものであり、（１）は壁面２に固定板１及び防水シート４を接着固定した状態の断面図であり、（２）は、固定板１の平面図である。固定板１は、円形の塩化ビニール等の合成樹脂板であり中央に給排水口の直径に合致する円形の穴１１が設けてあり、この円形の固定板１がシーリング材若しくは接着剤１４で壁面２に固定され、この固定板１に防水シート４が接着剤によって接着されている。防水シートの固定板１への接着は、接着剤に限るものでなく、熱溶着によって固定される場合もある。
固定板１には取付穴１２が複数設けてあり、この取付穴１２を利用して樹脂アンカー１３によって壁面２に強固に固定される。防水シート４の開口縁４０にあたる部分には弾性エポキシ等からなるシーリング１６が設けてあって止水してある。
図４に示す例は、循環フランジであり、スイミングプールの壁面２の開口２０に下向きの開口３１を有する合成樹脂製のフランジ３が取付けてあり、その開口２０に合致する穴１１を有する固定板１が壁面２に接着してあり、防水シート４は固定板１に接着固定され、止水性を高めている。
また、スイミングプールにおいては、図５（１）に示すラダーハンドル５や手摺（図示しない）の支柱５１が図５（２）に示すようにスイミングプールの底面またはスイミングプールの周囲のフロア面に埋設されているため、支柱５１を通す穴を有し、支柱５１を包囲する固定板１が設置され、この固定板１に防水シート(図示しない)が接着固定されている。
【先行技術文献】
【特許文献】
【０００４】
【特許文献１】特許第２５８５９３３号公報
【発明の開示】
【発明が解決しようとする課題】
【０００５】
従来、固定板１は、一方の面に弾性エポキシ接着剤、または、シーリング剤等を充填し、スイミングプールや建築物の取付け面に押圧固定され、更にネジアンカーで固定されている。この固定板への防水シートの接着や溶着が固定板の全面に均一になされていなかったり、接着剤またはシーリング剤等が十分に充填されていなかったりすると、時間の経過に伴い接着部が剥離して隙間が形成されて水が浸入していき、防水シートが浮き上がって剥離が進行して水密性が失われ、スイミングプールにおいては漏水が生ずるという不都合があった。
【０００６】
合成樹脂製の固定板１は、着色されているため不透明なものであり、取付け施工の際に固定板１の全面に均一に接着剤を塗布したように見えても、接着対象に押圧して接着した時点においては、表面側からしか見ることができないので接着剤またはシーリング剤等が固定板の固定面全面に均一に充填されているかを確認することができない。
接着剤またはシーリング剤等が十分に充填されず、接着面において不均等な厚みとなると接着力の不均等につながり、接着力の弱い個所に水圧等の外力が集中的に作用して固定板が浮き上がり、更には、防水シートの剥離にまで進行することが起きるので、固定板１を本体側に押圧した時点の接着剤またはシーリング剤等の充填状態を目視することができれば、接着剤またはシーリング剤等の充填が十分で厚さが均一であるかの確認が可能である。
本発明は、固定板１に充填した接着剤またはシーリング剤等が固定板１を接着面に押圧した時点において均等に充填されており、固定板が一様な接着力で本体に固定されることを確認できるようにし、時間の経過によって水密性が喪失することがないようにするものである。
【課題を解決するための手段】
【０００７】
固定板が透明な樹脂製の板であり、固定板の接着面側に１個または複数の接着剤またはシーリング剤等を受容するシーリング溝が形成してある固定板である。
シーリング溝は円形や四角形等の閉鎖形状、それらを同心的に二重、三重、それ以上複数配置したもの、波線の平行線、また、シーリング溝は連続しているものに限定するものでなく、断続するものであってもよい。
本明細書において、「透明」は、クリアな完全透明である必要はなく、固定板の表面側から充填した接着剤またはシーリング剤等の分布状態を目視で確認できる程度に透明であれば良いものであり、いわゆる半透明であってもよい。
固定板に形成されたシーリング溝の断面は三角形、四角形、若しくは半円形であって、深さは２〜５ｍｍ程度であるのが好ましい。
【発明の効果】
【０００８】
固定板を接着する本体に取付けた状態において固定板の表面側から接着剤またはシーリング剤等の充填状況を目視で確認できるので、接着剤またはシーリング剤等を固定板の接着面に均一に充填されていることを確認して固定板を接着することができると共に接着剤またはシーリング剤等がシーリング溝内に入りこんでいることから接着剤またはシーリング剤等が不足することが防止され、固定板は強固に壁面等の本体に固定されるので水密性が高く、寿命が長いものとすることができる。  
【図面の簡単な説明】
【０００９】
【図１】本発明の固定板をスイミングプールの給水部に取付けた状態の平面図。
【図２】本発明の固定板の断面図。
【図３】固定板をスイミングプールの循環部に固定した状態の断面図と正面図。
【図４】固定板をスイミングプールの給水部に取付けた状態の断面図と平面図。
【図５】スイミングプールのラダーの斜視図、及びラダーの支柱の取付部に固定板を使用した状態の断面図。
【発明を実施するための形態】
【００１０】
図１は、スイミングプールの壁面に設けた給排水の開口部に使用する固定板１であって、透明な塩化ビニール樹脂製の円形板であって厚さ３ｍｍである。固定板１の中央にはスイミングプールの壁面２に設けた開口部２０のフランジ３の直径に合致する円形の穴１１が設けてある。固定板１の接着面側には穴１１を包囲する円形の閉じた形状のシーリング溝１５が等間隔で３本形成してある。シーリング溝１２の幅は２ｍｍ、深さは固定板１の板厚３ｍｍの半分以下の１．４ｍｍである。この固定板１を給水口に取付けた状態の断面図が図２であり、開口部２０に固定板１の穴１１を合致させて接着剤またはシーリング剤等で固定してある。
【００１１】
施工手順は、固定板１の接着面に接着剤またはシーリング剤等を均等に充填し、スイミングプールの給水口の開口部２０に固定板１の穴１１を合わせて押し付けて接着固定する。固定板１は透明であるので、この時、表面側から接着剤またはシーリング剤等の分布状態を視認することができる。
接着剤またはシーリング剤等の充填時には、均等に接着剤またはシーリング剤等が充填されているように見えているが、固定板１を接着面に押圧した後に観察すると接着剤またはシーリング剤等の充填が均等でなく偏りが見られたり、接着剤またはシーリング剤等が十分に充填されておらず空気の存在が視認されたら固定板１を横方向に移動させて空気を逃がすなどして固定板の全面に接着剤またはシーリング剤等がいきわたっていることを確認する。それでも接着剤またはシーリング剤等が不均等である場合は、接着作業をやり直す。
固定板１は更に固定穴１２に樹脂アンカー１３を使用し壁面等に固定する。このように固定板１を壁面等に固定することによって、固定板１に防水シート４を接着、若しくは溶着をおこない、固定板１の接着力不足から防水シート４の剥離が起こることを防止することができる。
【符号の説明】
【００１２】
１      固定板
１１    穴
１２    固定穴
１３    樹脂アンカー
１４    接着剤層
１５    シーリング溝
２      壁面（スイミングプール壁面）
２０    開口部
３      フランジ
３１    下向き開口
４      防水シート
４０    防水シートの開口縁
５      ラダーハンドル
５１    支柱
【図１】
2020060048.tif 000003
【図２】
2020060048.tif 000004
【図３】
2020060048.tif 000005
【図４】
2020060048.tif 000006
【図５】
2020060048.tif 000007